(57)【要約】【課題】折り畳み式携帯端末機において、別部品を必要とせずに、折り畳み状態での筐体のガタツキを押える。【解決手段】操作側筐体１には、操作キーのキーボタン１３とともにキーラバー１６に取り付けられ、かつキーボタン１３間に位置してキーボタン１３より高い部分を有するストッパー１４を備える。表示側筐体２は、ヒンジ部に対し直交する支軸周りに回転可能に結合されている。ストッパー１４は、操作側筐体１のヒンジ部寄りの両側部に配置されている。ストッパー１４は、操作側筐体１の幅方向中央部寄りに対し両側部が高くなる傾斜面に形成されている。ストッパー１４を挟んで操作側筐体１の長手方向に配置されるキーボタン１３は、操作側筐体１の幅方向中央部寄りに対し両側部が低くなる傾斜面に形成されている。【選択図】図３
2008160649.tif 000002
【特許請求の範囲】
【請求項１】
操作キーを有する操作側筐体と表示画面を有する表示側筐体とがヒンジ部で折り畳み自在に結合された携帯端末機であって、
前記操作側筐体には、前記操作キーのキーボタンとともにキーラバーに取り付けられ、かつキーボタン間に位置してキーボタンより高い部分を有するストッパーを備えることを特徴とする折り畳み式携帯端末機。
【請求項２】
前記表示側筐体は、前記ヒンジ部に対し直交する支軸周りに回転可能に結合されていることを特徴とする請求項１に記載の折り畳み式携帯端末機。
【請求項３】
前記ストッパーは、前記操作側筐体の前記ヒンジ部寄りの両側部に配置されていることを特徴とする請求項１または２に記載の折り畳み式携帯端末機。
【請求項４】
前記ストッパーは、前記操作側筐体の幅方向中央部寄りに対し両側部が高くなる傾斜面に形成されていることを特徴とする請求項３に記載の折り畳み式携帯端末機。
【請求項５】
前記ストッパーを挟んで前記操作側筐体の長手方向に配置される前記キーボタンは、前記操作側筐体の幅方向中央部寄りに対し両側部が低くなる傾斜面に形成されていることを特徴とする請求項４に記載の折り畳み式携帯端末機。
【発明の詳細な説明】
【技術分野】
【０００１】
本発明は、操作側筐体と表示側筐体とがヒンジ部で結合された折り畳み式携帯端末機に関する。
【背景技術】
【０００２】
折り畳み式携帯端末機において、力の作用によってもディスプレイの表面に傷が付き難く、然も両キャビネットを閉じたときの耳障りな音の発生を抑制することが出来るようにしたものが特許文献１に開示されている。すなわち、特許文献１では、表示側キャビネット２の表面には、ヒンジ機構３とは反対側の端部に、１或いは複数の弾性凸部２２が突設されると共に、操作側キャビネット１の表面には、弾性凸部２２よりも硬度が高く且つキャビネットの材質よりも硬度が低い材質からなる緩衝部材４が配備され、該緩衝部材４は、キャビネット表面からの突出高さが操作キー１１のキャビネット表面からの突出高さと同一若しくは該突出高さよりも高く形成されている。
【特許文献１】特開２００５−２９５０７０号公報
【発明の開示】
【発明が解決しようとする課題】
【０００３】
このように従来は、緩衝部材４を操作側キャビネット１に設けて、弾性凸部２２を表示側キャビネット２に設ける等、別部品を筐体に設ける必要があり、部品点数が増え、その組立工数も要していた。
【０００４】
本発明の課題は、折り畳み式携帯端末機において、別部品を必要とせずに、折り畳み状態での筐体のガタツキを押えることである。
【課題を解決するための手段】
【０００５】
以上の課題を解決するため、請求項１に記載の発明は、操作キーを有する操作側筐体と表示画面を有する表示側筐体とがヒンジ部で折り畳み自在に結合された携帯端末機であって、前記操作側筐体には、前記操作キーのキーボタンとともにキーラバーに取り付けられ、かつキーボタン間に位置してキーボタンより高い部分を有するストッパーを備えることを特徴とする。
【０００６】
請求項２に記載の発明は、請求項１に記載の折り畳み式携帯端末機であって、前記表示側筐体は、前記ヒンジ部に対し直交する支軸周りに回転可能に結合されていることを特徴とする。
【０００７】
請求項３に記載の発明は、請求項１または２に記載の折り畳み式携帯端末機であって、前記ストッパーは、前記操作側筐体の前記ヒンジ部寄りの両側部に配置されていることを特徴とする。
【０００８】
請求項４に記載の発明は、請求項３に記載の折り畳み式携帯端末機であって、前記ストッパーは、前記操作側筐体の幅方向中央部寄りに対し両側部が高くなる傾斜面に形成されていることを特徴とする。
【０００９】
請求項５に記載の発明は、請求項４に記載の折り畳み式携帯端末機であって、前記ストッパーを挟んで前記操作側筐体の長手方向に配置される前記キーボタンは、前記操作側筐体の幅方向中央部寄りに対し両側部が低くなる傾斜面に形成されていることを特徴とする。
【発明の効果】
【００１０】
本発明によれば、折り畳み状態での表示側筐体のガタツキを、キーラバーに取り付けられてキーボタン間に位置するストッパーにより押えることができるため、別部品を設ける必要がなく、部品点数・組立工数を減少してコストを低減できる。
【発明を実施するための最良の形態】
【００１１】
以下、図を参照して本発明を実施するための最良の形態を詳細に説明する。
図１及び図２は本発明を適用した折り畳み式携帯端末機の一実施形態の構成として携帯電話機を示すもので、１は操作側筐体、２は表示側筐体、３はヒンジ部、４は操作キー、５はメイン表示画面、６はサブ表示部、７はテンキー部、８は機能キー部、９はガタ押え部材である。
【００１２】
操作側筐体１と表示側筐体２は二軸ヒンジを介して結合されている。すなわち、操作キー４を有する操作側筐体１と表裏に分けてメイン表示画面５及びサブ表示部６を有する表示側筐体２はヒンジ部３により折り畳み自在に結合されており、さらに、表示側筐体２はヒンジ部３に対し直交する図略の支軸周りに回転可能に結合されている。
そして、メイン表示画面５を内側にした折り畳み状態を図１（ａ）に示しており、メイン表示画面５を外側にした折り畳み状態を図１（ｂ）に示している。また、図１（ａ）の状態から表示側筐体２を開いた状態を図２（ａ）に示しており、その表示側筐体２を回転させる動作状態を図２（ｂ）に示している。
【００１３】
以上の二軸ヒンジによる携帯端末機において、操作側筐体１の操作キー４は、テンキー部７及び機能キー部８により構成されている。すなわち、操作側筐体１に対しテンキー部７よりもヒンジ部３寄りに機能キー部８が位置している。機能キー部８は、中央の決定キー１１と、その周囲にリング状の十字方向キー１２と、その左右両側に二個ずつのキーボタン１３とから構成されている。操作側筐体１の両側部において、その操作側筐体１の長手方向に配置されるキーボタン１３の間には、そのキーボタン１３よりも高い部分を有するストッパー１４が夫々設けられている。
【００１４】
なお、操作側筐体１のヒンジ部３と反対側の端部にガタ押え部材９が設けられている。このガタ押え部材９は、操作側筐体１の幅方向にわたって突出状態で表示部筐体２に当接して、表示部筐体２のヒンジ部３と反対側端部付近のガタツキを押えるものである。
【００１５】
図３は折り畳み状態の各部断面を示したもので、左右のキーボタン１３の形状とストッパー１４の形状を示している。まず、図３（ａ）に示すように、キーボタン１３は、操作側筐体１の幅方向中央部寄りに対し両側部が低くなる傾斜面に形成されている。すなわち、メイン表示画面５を内側（図示では下）にした折り畳み状態において、キーボタン１３とメイン表示画面５との接触を避け、むやみにキーボタン１３を反応させないようにするため、キーボタン１３を、操作側筐体１の幅方向中央部寄りに対し両側部がメイン表示画面５から逃げて低くなるよう傾斜面に形成している。
【００１６】
これに対し、図３（ｂ）に示すように、ストッパー１４は、操作側筐体１の幅方向中央部寄りに対し両側部が高くなる傾斜面に形成されており、このストッパー１４の両側部がキーボタン１３の他側部よりも高く形成されている。すなわち、メイン表示画面５を内側（図示では下）にした折り畳み状態において、キーボタン１３とメイン表示画面５との接触を避け、むやみにキーボタン１３を反応させないようにするため、ストッパー１４を、操作側筐体１の幅方向中央部寄りに対し両側部がメイン表示画面５に近付いて高くなるよう傾斜面に形成している。
【００１７】
そして、図３（ｃ）に示すように、メイン表示画面５を外側（図示では上）にした折り畳み状態において、ストッパー１４の傾斜面は、表示側筐体２の背面の傾斜したＲ形状面と略平行するようになっている。すなわち、ストッパー１４を、表示側筐体２背面のＲ形状面を逃げる傾斜面としている。
【００１８】
図４は操作キー４（テンキー部７及び機能キー部８）とステンレス板１５とキーラバー１６を示している。テンキー部７と機能キー部８はステンレス板１５の上に重ねられて、そのテンキー部７の各キーと機能キー部８の決定キー１１、十字方向キー１２、キーボタン１３及びストッパー１４は、ステンレス板１５の下に重ねたキーラバー１６に接着されている。すなわち、図示のように、ステンレス板１５に形成したボタン孔に、キーラバー１６に突出形成したボタン部が突出しており、そのキーラバー１６のステンレス板１５から突出した各ボタン部に、テンキー部７の各キーと機能キー部８の決定キー１１、十字方向キー１２、キーボタン１３及びストッパー１４が接着して取り付けられている。
【００１９】
ここで、キーラバー１６は、図３に示したように、操作側筐体１の内部に固定して取り付けられるメイン基板１７上に固定したシールドケース１８上において、キー基板１９の上に重ねて実装される。なお、テンキー部７の各キーは別体で夫々独立して動作し、機能キー部８の決定キー１１、十字方向キー１２、キーボタン１３及びストッパー１４も別体で夫々独立して動作する。
【００２０】
以上の二軸ヒンジによる携帯電話機において、その折り畳み状態における表示側筐体２のヒンジ部３に対し直交する支軸周りの揺動によるガタツキは、操作側筐体１の機能キー部８の両側部に設けたストッパー１４により緩衝して押えられる。すなわち、メイン表示画面５を内側にした折り畳み状態を示した図１（ａ）及び図３（ｂ）において、外力により表示側筐体２がヒンジ部３に対し直交する支軸周りに揺動した場合、図５（ａ）に示すように、表示画面５がストッパー１４の傾斜面に外側から接触していき、ストッパー１４下のキーラバー１６の弾性変形により緩衝されて、表示側筐体２の揺動によるガタツキが押えられる。このとき、図５（ｂ）に示すように、ストッパー１４を挟むキーボタン１３は表示画面５と若干のクリアランスが確保されているので押されることはない。
【００２１】
また、メイン表示画面５を外側にした折り畳み状態を示した図１（ｂ）及び図３（ｃ）において、外力により表示側筐体２がヒンジ部３に対し直交する支軸周りに揺動した場合、図６（ａ）に示すように、表示側筐体２の背面がストッパー１４の傾斜面に面接触し、ストッパー１４下のキーラバー１６の弾性変形により緩衝されて、表示側筐体２の揺動によるガタツキが押えられる。このとき、図６（ｂ）に示すように、ストッパー１４を挟むキーボタン１３は表示側筐体２の背面と若干のクリアランスが確保されているので押されることはない。
【００２２】
しかも、以上のような折り畳み状態における表示側筐体２のヒンジ部３に対し直交する支軸周りの揺動によるガタツキを、操作側筐体１の機能キー部８の両側において、キーボタン１３の間で目立たない部分をストッパー１４として利用して、キーラバー１６により緩衝しながら押えることができる。従って、筐体のガタツキ押えのために、従来のように別部品を設ける必要がなく、部品点数・組立工数の減少によりコスト低減を達成できる。
【００２３】
なお、折り畳み状態における操作側筐体１と表示側筐体２のヒンジ部３と反対側端部付近のガタツキは、操作側筐体１のヒンジ部３と反対側の端部に幅方向にわたって突出状態で設けたガタ押え部材９が、表示部筐体２に当接することで押えられる。
【００２４】
なお、以上の実施形態においては、二軸ヒンジの携帯電話機としたが、本発明はこれに限定されるものではなく、二軸ヒンジのＰＤＡ、その他の携帯端末機、一軸ヒンジの携帯電話機やＰＤＡ、その他の携帯端末機であっても良い。
また、ストッパーの形状等も任意であり、その他、具体的な細部構造等についても適宜に変更可能であることは勿論である。
【図面の簡単な説明】
【００２５】
【図１】本発明を適用した折り畳み式携帯端末機の一実施形態の構成として携帯電話機を示すもので、表示画面を内側にした折り畳み状態を示した斜視図（ａ）と表示画面を外側にした折り畳み状態を示した斜視図（ｂ）である。
【図２】図１の携帯電話機を開いた状態を示した斜視図（ａ）とその表示側筐体を回転させる動作状態を示した斜視図（ｂ）である。
【図３】表示画面を内側にした折り畳み状態を図２（ａ）の矢印Ａ−Ａ線に沿って示した断面図（ａ）及び同矢印Ｂ−Ｂ線に沿って示した断面図（ｂ）と、表示画面を外側にした折り畳み状態を示した同様の断面図（ｃ）である。
【図４】図２の操作キーとステンレス板とキーラバーの分解斜視図（ａ）とその操作キーからストッパーを分解して示した図（ｂ）である。
【図５】図３（ａ）のストッパー部分の拡大図（ａ）と図３（ｂ）のキーボタン部分の拡大図（ｂ）である。
【図６】図５（ａ）の状態から表示側筐体を第二ヒンジ軸周りに若干回転させた状態を示した図（ａ）と、図５（ｂ）の状態から同じく表示側筐体を第二ヒンジ軸周りに若干回転させた状態を示した図（ｂ）である。
【符号の説明】
【００２６】
１  操作側筐体
２  表示側筐体
３  ヒンジ部
４  操作キー
５  メイン表示画面
６  サブ表示部
７  テンキー部
８  機能キー部
９  ガタ押え部材
１１  決定キー
１２  十字方向キー
１３  キーボタン
１４  ストッパー
１５  ステンレス板
１６  キーラバー
１７  メイン基板
１８  シールドケース
１９  キー基板
【図１】
2008160649.tif 000003
【図２】
2008160649.tif 000004
【図３】
2008160649.tif 000005
【図４】
2008160649.tif 000006
【図５】
2008160649.tif 000007
【図６】
2008160649.tif 000008